【手続補正書】
【提出日】平成15年7月9日(2003.7.9)
【手続補正１】
【補正対象書類名】明細書
【補正対象項目名】発明の名称
【補正方法】変更
【補正の内容】
【発明の名称】ディジタル信号の生成方法及びその記録方法並びに記録媒体


【手続補正２】
【補正対象書類名】明細書
【補正対象項目名】特許請求の範囲
【補正方法】変更
【補正の内容】
【特許請求の範囲】
【請求項１】
一連の記録情報に対し、一定の記録情報量毎に、複数行のメインデータに記録媒体上の位置を示すアドレス情報を付加したセクタデータを複数構成するステップと、該各セクタデータの該メインデータを振り分けて複数のセクタデータブロックに分割するステップと、該分割された該セクタデータブロックの各々にデータの行方向のエラーを訂正する第１の訂正符号とデータの縦方向のエラーを訂正する第２の訂正符号を付加した訂正ブロックを複数構成するステップとを備えることを特徴とするディジタル信号の生成方法。
【請求項２】
請求項１記載のディジタル信号の生成方法において、該複数の訂正ブロックに分散された各セクタデータの各行のメインデータに対応する該第１の訂正符号の行を付加すると共に該各セクタデータの該複数のメインデータに連続性を持たせて配列するステップと、該複数の該第２の訂正符号の各行を該複数のセクタデータの間に順次配列するステップとを備えることを特徴とするディジタル信号の生成方法。
【請求項３】
一連の記録情報に対し、一定の記録情報量毎に、複数行のメインデータに記録媒体上の位置を示すアドレス情報を付加したセクタデータを複数構成するステップと、該各セクタデータのアドレス情報と奇数番目のメインデータを第１のセクタデータブロックに振り分け、該各セクタデータの偶数番目のメインデータを第２のセクタデータブロックに振り分けるステップと、該第１のセクタデータブロック及び該第２のセクタデータブロックの各々にデータの行方向のエラーを訂正する第１の訂正符号及び第２の訂正符号を付加し、該第１のセクタデータブロック及び該第２のセクタデータブロックの各々にデータの縦方向のエラーを訂正する第３の訂正符号及び第４の訂正符号を付加して第１の訂正ブロック及び第２の訂正ブロックを構成するステップとを備えることを特徴とするディジタル信号の生成方法。
【請求項４】
請求項３記載のディジタル信号の生成方法において、該第１の訂正ブロックの各行のメインデータに該第１の訂正符号の１行を付加した第１のデータと、該第２の訂正ブロックの各行のメインデータに該第２の訂正符号の１行を付加した第２のデータとを交互に配列して、該メインデータに連続性を持たせて複数のセクタデータを順次配列するステップと、該第３の訂正符号の行と該第４の訂正符号の行を順次配列された該セクタデータの間に順次配列するステップとを備えることを特徴とするディジタル信号の生成方法。
【請求項５】
一連の記録情報に対し、一定の記録情報量毎に、複数行のメインデータに記録媒体上の位置を示すアドレス情報を付加したセクタデータを複数構成し、該各セクタデータの該メインデータを振り分けて複数のセクタデータブロックに分割し、該分割された該セクタデータブロックの各々にデータの行方向のエラーを訂正する第１の訂正符号とデータの縦方向のエラーを訂正する第２の訂正符号を付加して構成された複数の訂正ブロックから、該複数の訂正ブロックに分散された各セクタデータの各行のメインデータに対応する該第１の訂正符号の行を付加すると共に該各セクタデータの該複数のメインデータに連続性を持たせて配列し、該複数の該第２の訂正符号の各行が該複数のセクタデータの間に順次配列することによって構成されたディジタル信号を変調して記録したことを特徴とする記録媒体。
【請求項６】
一連の記録情報に対し、一定の記録情報量毎に、複数行のメインデータに記録媒体上の位置を示すアドレス情報を付加したセクタデータを複数構成し、該各セクタデータのアドレス情報と奇数番目のメインデータを第１のセクタデータブロックに振り分け、該各セクタデータの偶数番目のメインデータを第２のセクタデータブロックに振り分け、該第１のセクタデータブロック及び該第２のセクタデータブロックの各々にデータの行方向のエラーを訂正する第１の訂正符号及び第２の訂正符号を付加し、該第１のセクタデータブロック及び該第２のセクタデータブロックの各々にデータの縦方向のエラーを訂正する第３の訂正符号及び第４の訂正符号を付加して構成した第１の訂正ブロック及び第２の訂正ブロックから、該第１の訂正ブロックの各行のメインデータに該第１の訂正符号の１行を付加した第１のデータと、該第２の訂正ブロックの各行のメインデータに該第２の訂正符号の１行を付加した第２のデータとを交互に配列して、該メインデータに連続性を持たせて複数のセクタデータを順次配列し、該第３の訂正符号の行と該第４の訂正符号の行を順次配列された該セクタデータの間に配列することによって構成されたディジタル信号を記録したことを特徴とする記録媒体。
【請求項７】
一連の記録情報に対し、一定の記録情報量に少なくとも記録媒体上の位置を示すアドレス情報を付加したセクタデータを複数構成し、連続する（ｋ１×２）個（ｋ１は正の整数）のセクタデータに対し、（ｉバイト×２列）×ｊ行（ｉ、ｊは正の整数）に分割し、ｉバイト×（ｊ×ｋ１）行の配列２個それぞれに対して、符号長（ｊ×ｋ１）バイト系列に対し第１の訂正符号ｋ２バイトを生成（ｎｋ１＝ｋ２、但し、ｎは整数）、次に該第１の訂正符号を含む符号長ｉバイト系列に対し第２の訂正符号ｑバイト（ｑは正の整数）を生成することで構成した（ｉ＋ｑ）バイト×（ｊ×ｋ１＋ｋ２）行の第１及び第２の訂正配列を構成した後、少なくとも変調処理、同期信号の付加処理を行うことを特徴とするディジタル信号の生成方法。
【請求項８】
請求項７記載のディジタル信号の生成方法において、（ｉ＋ｑ）バイト×（ｊ×ｋ１＋ｋ２）行の該第１及び該第２の訂正配列を構成した後、少なくとも該第１及び該第２の訂正配列に分散された（ｋ１×２）個のセクタデータに対する行データの連続性を維持した（ｉ＋ｑ）バイト×（（ｊ×ｋ１＋ｋ２）×２）行の配列を構成することを特徴とするディジタル信号の生成方法。
【請求項９】
請求項８記載のディジタル信号の生成方法において、（ｉ＋ｑ）バイト×（ｊ×ｋ１＋ｋ２）行の該第１及び該第２の訂正配列を構成した後、少なくとも該第１及び該第２の訂正配列に分散された（ｋ１×２）個のセクタデータによる（ｉ＋ｑ）バイト×（（ｊ×ｋ１＋ｋ２）×２）行の配列を構成する際には、少なくともその配列の先頭から（ｊ＋１）行間隔でアドレス情報を含む行データが配置され、かつ配置されたアドレス情報が連続することを特徴とするディジタル信号の生成方法。
【請求項１０】
請求項８記載のディジタル信号の生成方法において、（ｉ＋ｑ）バイト×（ｊ×ｋ１＋ｋ２）行の該第１及び該第２の訂正配列を構成した後、少なくとも該第１及び該第２の訂正配列に分散された（ｋ１×２）個のセクタデータによる（ｉ＋ｑ）バイト×（（ｊ×ｋ１＋ｋ２）×２）行の配列を構成する際には、少なくともセクタデータに対する行データに続いて（ｊ＋１）行間隔で該第１の訂正符号を含む行データが配置され、かつ該第１及び該第２の訂正配列に対する該第１の訂正符号を含む行データを交互に配置することを特徴とするディジタル信号の生成方法。
【請求項１１】
一連のメインデータを含むセクタデータを記録媒体に記録するディジタル信号の記録方法であって、
奇数番目のメインデータ群で構成された第１のセクタデータブロック行列と、偶数番目のメインデータ群で構成された第２のセクタデータブロック行列と、を構成し、
前記第１のセクタデータブロック行列を複数個集めた単位に対し列方向の誤り訂正符号を付加した第１の訂正ブロックと、前記第２のセクタデータブロック行列を複数個集めた単位に対し列方向の誤り訂正符号を付加した第２の訂正ブロックと、を構成し、前記記録媒体に記録することを特徴とするディジタル信号の記録方法。
【請求項１２】
請求項１１に記載のディジタル信号の記録方法において、
前記セクタデータをメインデータの連続性を維持し、前記記録媒体に記録する際には、前記第１の訂正ブロックに含まれる訂正符号行と、前記第２の訂正ブロックに含まれる訂正符号行と、を交互にインターリーブして記録することを特徴とするディジタル信号の記録方法。
【手続補正３】
【補正対象書類名】明細書
【補正対象項目名】００２３
【補正方法】変更
【補正の内容】
【００２３】
インターリーブ配列４ａにおいては、ＰＩ訂正符号１５、１８を含む１８２バイト単位のセクタデータの並びは、メインデータ１から１２までに対する行データ順に配置され、セクタデータはメインデータ１〜１２を含む行データが連続する配置となる。つまり記録情報１の連続性が維持された状態に再配置される。更にセクタデータ間に第１、第２の訂正ブロック５、６に含まれるＰＯ訂正符号１６、１９を含む行データが交互にインターリーブされる。


【手続補正４】
【補正対象書類名】明細書
【補正対象項目名】００３５
【補正方法】変更
【補正の内容】
【００３５】
次に、図４を用いて本発明によるディジタル信号生成方法の第３の実施例について説明する。
図４は、本発明によるディジタル信号生成方法の第３の実施例を説明するためのデータや符号の配列を示す図であり、図４（ａ）は記録媒体上の記録情報を示す図であり、図４（ｂ）はセクタデータを示す図であり、図４（ｃ）は訂正ブロックを示す図であり、図４（ｄ）はインターリーブ配列を示す図である。